(57)【要約】【課題】従来の光照射装置における光照射手段のランプに関する問題、即ち必要な光の波長が変化した場合に対処できない、寿命が短いという問題、シャッタ機構に関する問題、比較的複雑なシャッタ機構を必要とし製造コストが比較的高価になる、シャッタ機構を光遮断状態に設定しても被照射体を支持するための支持手段近傍の雰囲気がシャッタ機構を介して加熱されて高温になってしまう傾向があるという問題、そしてまた光照射手段からの光が集中的に被照射体に照射され、被照射体が過剰に加熱されてしまう傾向があるという問題を解決する。【解決手段】光照射手段２８におけるランプ３２として超高圧水銀ランプを使用する。光照射手段を選択的に作用位置と非作用位置に位置せしめる。そして更に、光照射手段からの光を、光拡散手段３６を介して被照射体に照射する。【選択図】図２
2006231037.tif 000002
【特許請求の範囲】
【請求項１】
被照射体を支持するための支持手段と該支持手段に支持された被照射体に可視光を照射するための光照射手段とを具備する光照射装置において、
該光照射手段は超高圧水銀ランプを含む、ことを特徴とする光照射装置。
【請求項２】
該光照射手段は作用位置と非作用位置とに選択的に位置せしめられ、該光照射手段が該作用位置に位置せしめられると該光照射手段からの光が該支持手段に支持された被照射体に照射され、該光照射手段が該非作用位置に位置せしめられると該光照射手段からの光が該支持手段に支持された被照射体に照射されることはない、請求項１記載の光照射装置。
【請求項３】
被照射体を支持するための支持手段と該支持手段に支持された被照射体に可視光を照射するための光照射手段とを具備する光照射装置において、
該光照射手段は作用位置と非作用位置とに選択的に位置せしめられ、該光照射手段が該作用位置に位置せしめられると該光照射手段からの光が該支持手段に支持された被照射体に照射され、該光照射手段が該非作用位置に位置せしめられると該光照射手段からの光が該支持手段に支持された被照射体に照射されることはない、ことを特徴とする光照射装置。
【請求項４】
入射開口を有する照射室が配設されており、該支持手段は該照射室内に配設されており、該光照射手段は該照射室外に配設されており、該光照射手段が該作用位置に位置せしめられると該光照射手段からの光が該入射開口を通して該照射室内に入射される、請求項２又は３記載の光照射装置。
【請求項５】
該光照射手段が該非作用位置に位置せしめられると該光照射手段からの光が照射される該熱吸収手段が配設されている、請求項２から４までのいずれかに記載の光照射装置。
【請求項６】
該光照射手段からの光は光拡散手段を介して被照射体に照射される、請求項１から５までのいずれかに記載の光照射装置。
【請求項７】
被照射体を支持するための支持手段と該支持手段に支持された被照射体に可視光を照射するための光照射手段とを具備する光照射装置において、
該光照射手段からの光は光拡散手段を介して被照射体に照射される、ことを特徴とする光照射装置。
【請求項８】
該支持手段は入射開口を有する照射室に配設されており、該光照射手段は該照射室外に配設されており、該光拡散手段が該照射室の壁部又は該壁部と該照射手段との間に配設される、ことを特徴とする請求項７記載の光照射装置。
【請求項９】
入射開口を有する照射室が配設されており、該支持手段は該照射室の下端部に配設され、該光照射手段は該照射室外に配設されており、該光照射手段からの光は該入射開口を通して該照射室内に入射され、該照射室の内面によって反射されて実質上鉛直に下方に指向される、請求項１、３又は７記載の光照射装置。
【請求項１０】
該被照射体が光硬化樹脂である、請求項１、３又は７記載の光照射装置。
【請求項１１】
該光拡散手段が凹レンズであって、該光照射手段の可視光が該凹レンズを介して被照射体に照射される可視光の照射量を調整した、請求項６又は７に記載の光照射装置。
【請求項１２】
該凹レンズを介して該光照射手段の可視光が入射される照射室に該被照射体が設けられ、該被照射体の内壁面に設けられた反射板に該可視光が反射して該被照射体が可視光に照射されるようにした請求項１１に記載の光照射装置。
【請求項１３】
該反射板に該被照射体に対する可視光の照射量を調整する湾曲面若しくは折曲面を形成し、該被照射体に対する可視光の照射量を調整するようにしてなる請求項１２に記載の光照射装置。
【請求項１４】
該レンズの周囲に可視光が通過する隙間を形成した、請求項１１〜１３のいずれか１項に記載の光照射装置。
【発明の詳細な説明】
【技術分野】
【０００１】
本発明は、光硬化性樹脂から形成された歯牙補修材の如き被照射体に可視光を照射するための光照射装置に関する。
【背景技術】
【０００２】
当業者には周知の如く、歯牙補修材として光硬化性樹脂が広く実用に供されている。光硬化性樹脂を使用して歯牙を補修する一様式においては、補修すべき歯牙の石膏模型を作成する。次いで、模型の補修部位、例えば凹所、に軟化状態の光硬化性樹脂を充填し、充填した光硬化性樹脂に可視光を照射して硬化せしめる。通常、補修部位への光硬化性樹脂の充填及び硬化は一度で完成するのではなくて、小量毎の充填と硬化を複数回繰り返し遂行する。この際には充填、硬化された光硬化性樹脂の色調を調整するために必要に応じて光硬化性樹脂の組成を変化せしめる。補修部位の形状に対応した形状に硬化せしめられた補修材が完成すると、模型から補修材を取り出し、接着剤を使用して歯牙の補修部位に固定する。
【０００３】
光硬化性樹脂に可視光を照射して硬化せしめるための光照射装置としては、下記特許文献１及び２に開示されているとおり、被照射体を支持するための支持手段と、この支持手段上に支持された被照射体に可視光を照射するための光照射手段と、支持手段上の被照射体と光照射手段と間において光照射手段からの光を選択的に透過及び遮断するためのシャッタ機構とを具備した光照射装置が提案されている。光照射手段はケース並びにこのケース内に配設されたランプ及び反射板から構成されている。ランプとしては通常メタルハイランドランプが使用されている。光硬化性樹脂の充填、硬化を繰り返し遂行する毎にランプを消灯せしめると再びランプが所要照射状態に復帰するまでに相当な時間を有するので、被照射体を支持手段から一時的に取り出す際には、ランプを消灯することに代えてシャッタ機構を光遮断状態に設定して光照射手段からの光を遮断する。そして、追加充填された光硬化性樹脂の硬化を再開する際にシャッタ機構を光透過状態に戻す。
【特許文献１】特開平８−１７３４６０号公報
【特許文献２】特願２００２−１８６６３２号公報
【発明の開示】
【発明が解決しようとする課題】
【０００４】
然るに、上述したとおりの従来の光照射装置には、次のとおりの解決すべき問題が存在する。第一の問題は光照射手段のランプに関する。メタルハイランドランプは高圧水銀中に金属ハロゲン化物を添加した高圧放電ランプであり、発光はハロゲン化物で生じ水銀は緩衝ガスとして作用する故に、発光スペクトルは特定波長に限定された輝線スペクトルである。特定波長はハロゲン化物の種類及び量に依存する。従って、硬化すべき光硬化性樹脂の組成が変化した場合には、硬化に適した光の波長が変化する故に、異なった波長の輝線スペクトルを有するメタルハイランドランプに交換することが必要になることも少なくない。また、ハロゲン化物が石英管と反応して劣化するために寿命が短く、そしてまた使用によって色度が変化してしまう。
【０００５】
第二の問題はシャッタ機構に関するものである。シャッタ機構が比較的複雑であり、これに起因して製造コストが比較的高価になる。また、シャッタ機構を光遮断状態に設定しても、被照射体を支持するための支持手段近傍の雰囲気がシャッタ機構を介して加熱されて高温になってしまう傾向がある。
【０００６】
第三に、光照射手段からの光が集中的に被照射体に照射され、被照射体が過剰に加熱されてしまう傾向がある。
【０００７】
本発明は上記事実に鑑みてなされたものであり、その第一の課題は、光照射手段に関する上述したとおりの問題を解決し、光硬化すべき光硬化性樹脂の組成が変化してもランプを交換する必要がなく、そしてまた比較的長期間に渡って安定して使用することができる、新規且つ改良された光照射装置を提供することである。
【０００８】
本発明の第二の課題は、シャッタ機構を使用する必要がなく、シャッタ機構に関する上述したとおりの問題がない、新規且つ改良された光照射装置を提供することである。
【０００９】
本発明の第三の課題は、光照射手段からの光が集中的に被照射体に照射され、被照射体が過剰に加熱されることが充分に抑制乃至回避される、新規且つ改良された光照射装置を提供することである。
【課題を解決するための手段】
【００１０】
本発明の第一の局面によれば、光照射手段におけるランプとして超高圧水銀ランプを使用することによって上記第一の課題が達成される。
【００１１】
即ち、本発明の第一の局面によれば、上記第一の課題を達成する光照射装置として、被照射体を支持するための支持手段と該支持手段に支持された被照射体に可視光を照射するための光照射手段とを具備する光照射装置において、
該光照射手段は超高圧水銀ランプを含む、ことを特徴とする光照射装置が提供される。
【００１２】
本発明の第二の局面によれば、光照射手段を選択的に作用位置と非作用位置に位置せしめることによって上記第二の課題が達成される。
【００１３】
即ち、本発明の第二の局面によれば、上記第二の課題を達成する光照射装置として、  被照射体を支持するための支持手段と該支持手段に支持された被照射体に可視光を照射するための光照射手段とを具備する光照射装置において、
該光照射手段は作用位置と非作用位置とに選択的に位置せしめられ、該光照射手段が該作用位置に位置せしめられると該光照射手段からの光が該支持手段に支持された被照射体に照射され、該光照射手段が該非作用位置に位置せしめられると該光照射手段からの光が該支持手段に支持された被照射体に照射されることはない、ことを特徴とする光照射装置が提供される。
【００１４】
入射開口を有する照射室が配設されており、該支持手段は該照射室内に配設されており、該光照射手段は該照射室外に配設されており、該光照射手段が該作用位置に位置せしめられると該光照射手段からの光が該入射開口を通して該照射室内に入射されるのが好適である。該光照射手段が該非作用位置に位置せしめられると該光照射手段からの光が照射される熱吸収手段が配設されているのが好ましい。
【００１５】
本発明の第三の局面によれば、上記第三の課題を達成するために、光照射手段からの光を光拡散手段を介して被照射体に照射する。
【００１６】
即ち、本発明の第三の局面によれば、上記第三の課題を達成する光照射装置として、被照射体を支持するための支持手段と該支持手段に支持された被照射体に可視光を照射するための光照射手段とを具備する光照射装置において、
該光照射手段からの光は光拡散手段を介して被照射体に照射される、ことを特徴とする光照射装置が提供される。
【００１７】
入射開口を有する照射室が配設されている場合、該光照射手段と共に該光拡散手段も該照射室外に配設されているのが好適である。好適形態においては、該支持手段は入射開口を有する照射室に配設されており、該光照射手段は該照射室外に配設されており、該光拡散手段が該照射室の壁部又は該壁部と該照射手段との間に配設されており、該光照射手段からの光は該入射開口を通して該照射室内に入射され、該照射室の内面によって反射されて実質上鉛直に下方に指向される。
本発明の第一の局面〜第三の局面は、該被照射体が光硬化樹脂とすることができる。
【００１８】
本発明の第ニの局面及び第三の局面は、該光拡散手段が凹レンズ（又は凸レンズ）であって、該光照射手段の可視光が該凹レンズ（又は凸レンズ）を介して被照射体に照射される可視光の照射量を調整することができる。
この凹レンズを介して該光照射手段の可視光が入射される照射室に該被照射体が設けられ、該被照射体の内壁面に設けられた反射板に該可視光が反射されて該被照射体が可視光に照射されるようにできる。該光照射手段の可視光の照射量が被照射物に対して不均等に照射されているときに、該反射板に曲面を形成し、該被照射体に対する可視光の照射量を均等になるよう近づけることができ、さらに該レンズの周囲に散乱した可視光が通過する空間を形成できる。
【発明の効果】
【００１９】
本発明の第一の局面によって提供される光照射装置においては、超高圧水銀ランプの発光は加熱された水銀に起因するものであって、その発光スペクトルは輝線スペクトルではなくて帯スペクトル即ち連続スペクトルであり、そしてまた発光が加熱された水銀に起因するものである故に超高圧水銀ランプは比較的長寿命であり、それ故に上記第一の課題が達成される。
【００２０】
本発明の第二の局面によって提供される光照射装置においては、シャッタ機構を配設する必要がなく、被照射体を照射しない時には光照射手段が非作用位置に位置せしめられ、これによって光照射手段からの光が被照射体に照射されることが回避され、従ってシャッタ機構に関する上述したとおりの問題がない。
【００２１】
本発明の第三の局面によって提供される光照射装置においては、光照射手段からの光が光拡散手段によって拡散された後に被照射体に照射され、従って光照射手段からの光が集中的に照射されることによって被照射体が加熱されることがない。
光拡散手段に凹レンズを使用することにより、被照射体に当たる光の照射量を減じることができる。
【発明を実施するための最良の形態】
【００２２】
以下、添付図面を参照して、本発明に従って構成された光照射装置の好適な第１の実施形態について、更に詳述する。
【００２３】
図１、図２及び図３には、本発明に従って構成された光照射装置の好適実施形態が簡略に図示されている。図示の光照射装置は全体を番号２で示すハウジング（図１、図２及び図３においては図面の複雑化を避けるために二点鎖線で示している）を備えている。このハウジング２は静止主部４と開閉扉部６とから個性されている。ハウジング２の前側に位置せしめられている開閉扉部６は、図１、図２及び図３において番号６を付して図示している閉位置と図２において番号６Ａを付して図示している開位置との間を旋回自在に静止主部４に装着されている。
【００２４】
ハウジング２の前半部には照射室８が配設されている。かかる照射室８も静止部１０と開閉部１２とから構成されている。静止部１０はハウジング２の静止主部４に固定されているが、開閉部１２はハウジング２の開閉扉部６に固定されている。従って、ハウジング２の開閉扉部６が図２に番号６Ａを付して図示している開位置に開動せしめられると、これに付随して照射室８の開閉部１２も図２において番号１２Ａを付して図示している開位置に開動せしめられ、かくして照射室８内が前方に開放される。照射室８の後壁１４には円形の入射開口１６（図２）が形成されている。開閉部１２が閉位置に位置せしめられている状態において、照射室８は入射開口１６を除いて実質上閉じられている。照射室８を規定している壁の内面、特に後に更に言及する如く光反射面として利用される前傾斜壁部１８と後方上壁部２０の内面は、鏡面にせしめられているのが好適である。
【００２５】
図１、図２及び図３を参照して説明を続けると、ハウジング２の前半部下端には電動モータ２２が配設されており、このモータ２２の出力軸２４は実質上鉛直に上方に延びており、その上端部は照射室８の底壁を貫通して照射室８内に突出せしめられている。出力軸２４の先端には、支持手段を構成する支持円板２６が固定されている。支持円板２６は照射室８の下端部に位置し、実質上水平である支持上面を有する。
【００２６】
ハウジング２内には光照射手段２８も配設されている。照射室８の後方（図１及び図２において右方）に位置する光照射手段２８は、前端面及び後端面が開放されている円筒形状でよいケース３０を有している。このケース３０内にはランプ３２と反射板３４とが配設されている。ランプ３２は、電極間のアーク放電によって加熱された水銀から帯スペクトル即ち連続スペクトルの光を発光する超高圧水銀ランプであることが重要である。超高圧水銀ランプの典型例としては、例えばＮＥＣライティング株式会社から商品名「ＮＵＰＮＵＡ１５０」として販売されている超高圧水銀ランプを挙げることができる。図４は超高圧水銀ランプ３２の発光スペクトルの一例を示している。図４から明確に理解される如く、超高圧水銀ランプの発光スペクトルは広範な波長領域渡って存在する帯スペクトル即ち連続スペクトルである。これに対して、従来の光照射装置に使用されていたメタルハイランドランプの発光スペクトルは、図５に示す如く、３個の制限された波長領域のみに限定された輝線スペクトルである。光照射手段２８のランプ３２として超高圧水銀ランプを使用すると、発光スペクトルが連続スペクトルである故に、硬化に適した光の波長が変化してもランプを交換することなく、また発光は加熱された水銀に起因する等によってその寿命が相当長いことが注目されるべきである。光照射ケース３０内に配設されている反射板３４はランプ３２からの光をケース３０の前端面に反射せしめる。
【００２７】
図１に示す如く、照射室８の後端面には光拡散手段３６が装着されており、ランプ３２からの光は光拡散手段３６を通して前方に投射される。そこを通過する光を拡散せしめるための光拡散手段３６はすりガラスから構成することができる。ケース３０の後端にはケース３０内を冷却するための送風器３８が配設されている。
【００２８】
図１及び図２を参照して説明を続けると、ハウジング２内には電動モータ４０が配設されており、この電動モータ４０の出力軸４２の上端に連結部材４４を介して光照射手段２８のケース３０が固定されている。電動モータ４０を正転及び逆転せしめることによって、ケース３０は図１及び図２に実線で示す作用位置と図２に二点鎖線で示し符号３０Ａを付している非作用位置とに選択的に位置せしめられる。ケース３０が作用位置に位置せしめられている時には、光照射手段２８のランプ３２が照射室８の入射開口１６（図３）に対応して位置せしめられ、ランプ３２からの光が光拡散手段３６及び入射開口１６を通して照射室８内に入射される。一方、光照射手段２８が図に二点鎖線で示し符号３６Ａを付した非作用位置に位置せしめられると、ケース３０の前端面に配設されている光照射手段２８のランプ３２の向きは照射室８の入射開口１６から変位せしめられ、ハウジング２内に配設されている熱吸収手段４６（図２）に対向して位置する。熱吸収手段４６は円板形状のセラミックス及び金属から構成することができる。
【００２９】
図示の実施形態においては、更に、ハウジング２内の後方上端部に冷却用送風器４８が配設され、ハウジング２内の後方下端部には制御用電装部品５０とこの電装部品５０を冷却するための送風器５２が配設されている。
【００３０】
上述したとおりの光照射装置の使用様式を説明すると、次のとおりである。例えば、石膏模型に充填した光硬化性樹脂に光を照射して硬化せしめる際には、ハウジング２の開閉扉部６及びこれに装着された照射室８の開閉部１２を図２に符号６Ａ及び１２Ａを付して図示する開位置に開動せしめて照射室８を開放せしめ、支持円板２６上に載置する。この際には、光を照射すべき光硬化性樹脂を上方に露呈せしめることが重要である。次いで、開閉扉部６及び開閉部１２を閉位置に戻して照射室８を閉じ、しかる後に電動モータ２２を付勢して支持円板２６を所定回転速度で回転せしめると共に、光照射手段２８のランプ３２を点灯する。かくすると、ランプ３２からの光が図１に一点鎖線で示す如く、光拡散手段３６及び入射開口１６を通して照射室８内に入射せしめ、そして前傾斜壁部１８の内面及び後方上壁部２０の内面によって反射されて実質上鉛直に下方に指向され、支持円板２６上に載置されている石膏模型中の光硬化性樹脂に照射される。ランプ３２からの光は光拡散手段３６によって拡散された後に光硬化性樹脂に照射される故に、光硬化性樹脂に光が集中的に照射されて光硬化性樹脂が過剰に過熱されてしまうことはない。
なお、支持円板２６の上にスペーサのような支持手段（図６の光照射部６７参照）を配設して光照射手段２８のランプ３２の光を直接被照射体に当てることもできる。
【００３１】
光硬化性樹脂が充分に硬化せしめられると、光照射手段２８のケース３０を図２に二点鎖線で示し符号２８Ａを付した非作用位置に位置せしめる。かくすると、ランプ３２からの光は照射室８内に入射されることなく、従ってランプ３２を点灯し続けても照射室８内及び支持円板２６が加熱されることはない。ランプ３２からの光は熱吸収手段４６に照射され、熱は熱吸収手段４６によって吸収される。同時に、電動モータ２２を除勢して支持円板２６の回転を停止する。しかる後に、ハウジング２の開閉扉部６及びこれに装着された照射室８の開閉部１２を図２に符号６Ａ及び１２Ａを付して図示する開位置に開動せしめて照射室８を開放せしめ、支持円板２６から石膏模型を取り出し、光硬化性樹脂を追加充填する。しかる後、石膏模型を支持円板２６上に戻して、開閉扉部６及び開閉部１２を閉位置に戻して照射室８を閉じ、しかる後に電動モータ２２を付勢して支持円板２６を所定回転速度で回転せしめる。そして、光照射手段２８のケース３０を作用位置に戻し、ランプ３２からの光を追加充填された光硬化性樹脂に照射する。光硬化性樹脂の充填と硬化を所要回数繰り返し遂行して所要形状の歯牙充填物が形成されると、電動モータ２２を除勢して支持円板２６の回転を停止し、光照射手段２８のランプ３２を消灯し、そしてハウジング２の開閉扉部６及びこれに装着された照射室８の開閉部１２を図２に符号６Ａ及び１２Ａを付して図示する開位置に開動せしめて照射室８を開放せしめ、支持円板２６から石膏模型を取り出す。ハウジング２内に配設されている冷却用送風器３８、４８及び５２は、例えばランプ３２が点灯されている間は連続的に作動せしめることができる。
【００３２】
次に、本発明に従って構成された光照射装置の好適な第２の実施形態について、更に詳述する。なお、上記第１の実施形態と同じ構成物について同一の符号を付して説明し、特別な事情を除きその詳細な説明を省略する。
図６は、本実施形態の光照射装置の概略側面図であり、図７は平面図である。本第２の実施形態が上記第１の実施形態と異なる箇所は、光照射装置２の光拡散手段３６をすりガラスとしたが、本実施形態では、すりガラスを廃止して光拡散手段として凹レンズを使用したことである。そして、これに伴い以下に説明する光照射装置の構成を変更している。
【００３３】
図６に示すように、光照射装置は照射室６１と光照射手段２８（ランプ３２）との間に凹レンズ６２を配設している。凹レンズ６２は、照射室６１の背面壁６３に孔を空け、図８に示すように、凹レンズ６２の支持部材６４によって、等角度間隔で３点支持することによって取付けられている。凹レンズ６２と背面壁６３との間、すなわち凹レンズ６２の周囲には、図９に示すように隙間６５が形成され、凹レンズ６２と共に光の通過が可能である。凹レンズ６２の外径は、本実施の形態では２５ｍｍのものを使用している。
光照射手段２８のランプ３２を覆う湾曲面を有する反射板３４は、超高圧水銀ランプ３２の光が、散乱光を除き平行になるような曲線に形成されている。ランプ３２はやや上向きに向けられ、凹レンズ６２の中心位置に対して光照射手段２８のランプ３２の光源の中心は、わずかに低い位置にある。そして、光照射手段２８を回動可能に支持するモータ４０は斜め後方上側に軸心を向けて、光照射手段２８を支持する。本実施の形態では、ランプ３２の光源を水平線に対して上方に７度傾斜させている。
【００３４】
照射室６１のランプ３２に対向する前壁面には前傾斜壁部６６が設けられている。図１０に示すように、前傾斜壁部６６は斜め後方のランプ３２側へ下向きに傾斜し、前傾斜壁部６６に形成した変曲点Ｐを境に、その下部側に鏡面からなる下反射板６６ｂを配設し、上部側に下反射板６６ｂよりもさらに下向きに配設された鏡面からなる上反射板６６ａを取付けている。変曲点Ｐの位置は、ランプ３２の照射方向の中心線ａの延長線上に配置している。
照射室６１の下部には支持円板２６が垂直方向に向けた出力軸２４を軸心にして水平方向へ回動可能に配設され、水平面を有する支持円板２６上には石膏模型中の光硬化性樹脂が配設される光照射部６７が設けられ、光硬化性樹脂はこの光照射部６７に図示しない支持手段に支持される。
【００３５】
このような構造により、石膏模型に充填した光硬化性樹脂を光照射部６７に図示しない支持手段上に載置する。しかる後に電動モータ２２を作動させて支持円板２６を所定回転速度で回転せしめると共に、光照射手段２８のランプ３２を点灯する。かくすると、ランプ３２からの平行光が図６に示す如く、凹レンズ６２又は隙間６５を通って照射室６１に入射する。このうち、凹レンズ６２を通過した光は、凹レンズ６２の径方向外側に拡散される。拡散された光がさらに前方に進むと、上下反射板６６ａ，６６ｂに反射して、この反射光が被照射体である石膏模型中の光硬化性樹脂に照射する。また、隙間６５を通った光は、そのまま直進して上下反射板６６ａ，６６ｂに反射された反射光によって光硬化性樹脂を照射する。
【００３６】
上下反射板６６ａ，６６ｂを配設して反射光によって光硬化性樹脂を照射させたのは、光硬化性樹脂の上面のみならず側面まで光を照射させるためである。よって、光硬化性樹脂を回転させると共に傾斜光によって、被照射体の全体を照射できるようにしている。なお、被照射体の全体を照射させるには、一般的には４５度に近い照射角によって光硬化性樹脂を照射させるとよいが、本実施の形態（光源を水平線から７度傾斜させた状態）では、上反射板６６ａでは平行光が水平線に対して６２度の角度で光硬化性樹脂を照射し、下反射板６６ｂでは５０度の角度で照射している。拡散光については、上反射板６６ａでは水平線に対して５０度〜６２度の角度で照射し、下反射板６６ｂでは５０度〜６２度の角度で照射するようにしている。
【００３７】
上記第１の実施の形態で用いたすりガラスに対して、凹レンズ６２を用いた有利な点は、すりガラスは光成分が分散するので照射室８に入射する光の照射量が減じるのに対し、凹レンズ６２は照射室６１に入射する光の照射量を減らさないからである。光の照射量を多く被照射体に当てるには、凹レンズよりも凸レンズの方が望ましいが、凸レンズでは光硬化性樹脂と石膏との間に塗布されている離型剤が溶けてしまうからである。離型剤が溶ける温度は５０℃〜６０℃程度であるので、これ以下に温度を維持する必要がある。同様に凹レンズ６２を用いないで直接光源から光を光硬化性樹脂に照射することが考えられるが、直接照射でも離型剤が溶けてしまうので、凹レンズ５０によって、光を拡散して熱を減少させている。
変曲点Ｐを設けて、上反射板６６ａを下反射板６６ｂよりも下向きに傾斜させた理由は、ランプ３２の中心位置の光の照射量が弱い傾向にあり、照射量が少ない被照射体の中央部分に光を均等に近づくように当てるためである。
【００３８】
光硬化性樹脂が充分に硬化せしめられると、光照射手段２８のケース３０を図７に二点鎖線で示す非作用位置に位置せしめるなど、他の作用効果は上記第１の実施の形態と同じである。
光拡散手段３６は、照射室８の後壁部に配設したが、ケース３０の前面に配設してもよい。
【図面の簡単な説明】
【００３９】
【図１】本発明に従って構成された光照射装置の好適な第１の実施形態を示す簡略側面図である。
【図２】図１の光照射手段を示す簡略平面図である。
【図３】図１の光照射手段を示す簡略正面図である。
【図４】超高圧水銀ランプの発光スペクトルを示す線図である。
【図５】メタルハイランドランプの発光スペクトルを示す線図である。
【図６】本発明に従って構成された光照射装置の好適な第１の実施形態を示す簡略側面図である。
【図７】図６の光照射手段の簡略平面図である。
【図８】図６の光照射手段の光を拡散するレンズ部の正面図である。
【図９】図６の光照射手段の光を拡散するレンズ部の拡大断面図である。
【図１０】図６の光照射手段の光を反射させる照射室の壁部の拡大断面図である。
【符号の説明】
【００４０】
２  ハウジング
８，６１  照射室
１６  入射開口
１８，６６  前傾斜壁部
２８  光照射手段
３２  ランプ
３６  光拡散手段
４６  熱吸収手段
６２  凹レンズ
６５  隙間
６６ａ  上反射板
６６ｂ  下反射板
【図１】
2006231037.tif 000003
【図２】
2006231037.tif 000004
【図３】
2006231037.tif 000005
【図４】
2006231037.tif 000006
【図５】
2006231037.tif 000007
【図６】
2006231037.tif 000008
【図７】
2006231037.tif 000009
【図８】
2006231037.tif 000010
【図９】
2006231037.tif 000011
【図１０】
2006231037.tif 000012